(57)【要約】【課題】画像形成の指示において用いられた設定をテンプレート化する場合に比べて簡単に利用できるようにすること。【解決手段】指示データ記憶部１０２は、画像形成の指示が作成された場合にその画像形成の設定を記憶する。指示データ記憶制御部１０３は、指示データ記憶部１０２に記憶された設定のうちコピー元指定操作により指定された第１の設定を、コピー先指定操作により指定された別の指示データにおける設定に上書きして記憶させる。コピー元指定操作には、コピー元となる設定を表す画像を右クリックして操作メニューを表示させる操作と、その操作により表示された操作メニューからクリップボードへのデータのコピーを表す項目を選択する操作とが含まれる。コピー先指定操作には、コピー先となる別の画像形成の指示を表す画像を右クリックして操作メニューを表示させる操作が含まれる。【選択図】図３
2020187787.tif 000002
【特許請求の範囲】
【請求項１】
コピー元である第１の設定を表す画像を選択し且つ操作メニューを表示させる操作と、表示された当該操作メニューからクリップボードへのデータのコピーを表す項目を選択する操作である第１の操作を受け付ける第１の操作受付部と、
第２の画像形成の指示を表す画像を選択し且つ操作メニューを表示させる操作である第２の操作を受け付ける第２の操作受付部と、
前記第２の操作により表示された操作メニューからクリップボードにコピーされたデータの貼り付けを表す項目を選択する操作が行われると、前記第１の設定をクリップボードから読み出して第２の設定に上書きして記憶させる処理を画像形成装置に要求する設定変更要求部と
を有するクライアント端末。
【請求項２】
前記第１の設定は、画像形成の指示のうち、保留されている指示、待機中の指示、テンプレートとして記憶された指示、又は、過去に実行された指示のいずれかにおける設定である
請求項１に記載のクライアント端末。
【請求項３】
設定変更要求部は、前記第１の設定及び前記第２の設定の相違点を出力する処理を画像処理装置に要求する
請求項１又は２に記載のクライアント端末。
【請求項４】
前記第１の操作には、出力された前記相違点を表す前記第１の設定を指定する操作が含まれ、
前記第２の操作には、出力された前記相違点を表す前記第２の設定を指定する操作が含まれる
請求項３に記載のクライアント端末。
【請求項５】
設定変更要求部は、前記相違点がある場合に画像処理装置の出力部が当該相違点を出力せずに、画像処理装置の記憶制御部が前記第１の設定を上書きして記憶させる第１モードと、当該場合に前記出力部が当該相違点を出力して上書きを承諾する操作が行われてから前記記憶制御部が前記第１の設定を上書きして記憶させる第２モードとで動作する処理を画像処理装置に要求する
請求項３又は４に記載のクライアント端末。
【請求項６】
前記第１の設定には複数の項目の設定が含まれ、
設定変更要求部は、前記複数の項目のうち特定の項目の設定は上書きして記憶させない処理を画像処理装置に要求する
請求項１から５のいずれか１項に記載のクライアント端末。
【請求項７】
媒体に画像を形成する処理を画像処理装置に要求する画像形成操作受付部を備える
請求項１から６のいずれか１項に記載のクライアント端末。
【発明の詳細な説明】
【技術分野】
【０００１】
本発明は、クライアント端末に関する。
【背景技術】
【０００２】
特許文献１には、画像形成のパラメータを手動で設定する代わりに、予めパラメータを登録したジョブテンプレートを用いて設定を行う技術が開示されている。
【先行技術文献】
【特許文献】
【０００３】
【特許文献１】特開平１１−３３１４４６号公報
【発明の概要】
【発明が解決しようとする課題】
【０００４】
画像形成の指示を作成する際に、他の画像形成の指示において用いられた設定を利用したい場合がある。その場合に、例えばその設定を特許文献１の発明のようにテンプレートとして登録して利用する方法があるが、この方法だと、テンプレートを登録する操作と、登録したテンプレートを指定する操作が必要になり、ユーザにとって煩雑である。
そこで、本発明は、画像形成の指示において用いられた設定を、その設定をテンプレート化する場合に比べて簡単に利用できるようにすることを目的とする。
【課題を解決するための手段】
【０００５】
本発明の請求項１に係るクライアント端末は、コピー元である第１の設定を表す画像を選択し且つ操作メニューを表示させる操作と、表示された当該操作メニューからクリップボードへのデータのコピーを表す項目を選択する操作である第１の操作を受け付ける第１の操作受付部と、第２の画像形成の指示を表す画像を選択し且つ操作メニューを表示させる操作である第２の操作を受け付ける第２の操作受付部と、前記第２の操作により表示された操作メニューからクリップボードにコピーされたデータの貼り付けを表す項目を選択する操作が行われると、前記第１の設定をクリップボードから読み出して第２の設定に上書きして記憶させる処理を画像形成装置に要求する設定変更要求部とを有することを特徴とする。
【０００６】
本発明の請求項２に係るクライアント端末は、請求項１に記載の構成において、前記第１の設定は、画像形成の指示のうち、保留されている指示、待機中の指示、テンプレートとして記憶された指示、又は、過去に実行された指示のいずれかにおける設定であることを特徴とする。
【０００７】
本発明の請求項３に係るクライアント端末は、請求項１又は２に記載の構成において、設定変更要求部は、前記第１の設定及び前記第２の設定の相違点を出力する処理を画像処理装置に要求することを特徴とする。
【０００８】
本発明の請求項４に係るクライアント端末は、請求項３に記載の構成において、前記第１の操作には、出力された前記相違点を表す前記第１の設定を指定する操作が含まれ、前記第２の操作には、出力された前記相違点を表す前記第２の設定を指定する操作が含まれることを特徴とする。
【０００９】
本発明の請求項５に係るクライアント端末は、請求項３又は４に記載の構成において、設定変更要求部は、前記相違点がある場合に画像処理装置の出力部が当該相違点を出力せずに、画像処理装置の記憶制御部が前記第１の設定を上書きして記憶させる第１モードと、当該場合に前記出力部が当該相違点を出力して上書きを承諾する操作が行われてから前記記憶制御部が前記第１の設定を上書きして記憶させる第２モードとで動作する処理を画像処理装置に要求することを特徴とする。
【００１０】
本発明の請求項６に係るクライアント端末は、請求項１から５のいずれか１項に記載の構成において、前記第１の設定には複数の項目の設定が含まれ、  設定変更要求部は、前記複数の項目のうち特定の項目の設定は上書きして記憶させない処理を画像処理装置に要求することを特徴とする。
【００１１】
本発明の請求項７に係るクライアント端末は、請求項１から６のいずれか１項に記載の構成において、媒体に画像を形成する処理を画像処理装置に要求する画像形成操作受付部を備えることを特徴とする。
【発明の効果】
【００１２】
請求項１、８に係る発明によれば、画像形成の指示において用いられた設定を、その設定をテンプレート化する場合に比べて簡単に利用することができる。
請求項２に係る発明によれば、画像形成の指示において用いられた設定をコピー及び貼り付けの操作によって利用することができる。
請求項３に係る発明によれば、本発明に挙げた指示の設定を利用することができる。
請求項４に係る発明によれば、２つの設定の全体を比較する場合に比べて、ユーザが設定のコピーを行うか否かを判断しやすいようにすることができる。
請求項５に係る発明によれば、出力された相違点を表す第１の設定及び第２の設定を指定しない場合に比べて、その相違点を比較してから設定のコピーを行うまでの手間を小さくすることができる。
請求項６に係る発明によれば、設定をコピーする作業に求められる条件に応じてモードを選ばせることができる。
請求項７に係る発明によれば、設定の不整合によるエラーを防ぐことができる。
【図面の簡単な説明】
【００１３】
【図１】実施例に係る画像形成装置のハードウェア構成を表す図
【図２】クライアント端末のハードウェア構成を表す図
【図３】画像処理部及びクライアント端末が実現する機能構成を表す図
【図４】設定画面の一例を表す図
【図５】表示されたプレビューの一例を表す図
【図６】表示された指示データ一覧の一例を表す図
【図７】コピー元指定操作の一例を表す図
【図８】コピー先指定操作の一例を表す図
【図９】表示された警告画像の一例を表す図
【図１０】コピー元指定操作の一例を表す図
【図１１】コピー元指定操作の一例を表す図
【図１２】コピー元指定操作の一例を表す図
【図１３】コピー元指定操作の一例を表す図
【図１４】画像形成処理における各装置の動作手順の一例を表す図
【図１５】コピー処理における各装置の動作手順の一例を表す図
【図１６】変形例のコピー元指定操作の一例を表す図
【図１７】変形例のコピー元指定操作の一例を表す図
【図１８】コピー元指定操作及びコピー先指定操作の別の一例を表す図
【図１９】変形例における機能構成の一例を表す図
【図２０】相違点表示操作の一例を表す図
【図２１】相違点表示操作の一例を表す図
【図２２】表示された相違点の一例を表す図
【図２３】表示されたコピー操作用画像の一例を表す図
【図２４】コピーが行われた場合の設定の一例を表す図
【図２５】相違点を表示するための操作用画像の一例を表す図
【図２６】コピー可否リストの一例を表す図
【図２７】変形例における機能構成の一例を表す図
【発明を実施するための形態】
【００１４】
［１］実施例
図１は実施例に係る画像形成装置１のハードウェア構成を表す。画像形成装置１は、用紙等の媒体に画像を形成する装置である。図１では、画像形成装置１に対して画像形成を指示する操作を受け付けるクライアント端末２が表されている。ユーザがクライアント端末２を操作して媒体に形成する画像を指定する操作や画像形成における設定（用紙、レイアウト、カラー、画質などの設定）を決定する操作などを行うことで、クライアント端末２が、その画像形成の指示の内容を表す指示データ（ジョブともいう）を画像形成装置１に送信し、画像形成装置１が、受信した指示データが表す指示に従って画像を形成する。
【００１５】
画像形成装置１は、画像処理部１０と、操作パネル部２０と、画像形成部３０とを備える。画像処理部１０は、前述した指示データが表す画像を処理し、画像形成部３０が媒体に画像を形成可能なフォーマットに変換する。操作パネル部２０は、ディスプレイと、ディスプレイの表面に設けられたタッチパネルとを備え、画像を表示するとともに、ユーザからの操作を受け付ける。画像形成部３０は、画像処理部１０により変換された画像データに基づいて、その画像データが表す画像を例えば電子写真方式で媒体に形成する。
【００１６】
画像処理部１０は、ＣＰＵ（Central Processing Unit）１１と、ＲＡＭ（Random Acce ss Memory）１２と、ＲＯＭ（Read Only Memory）１３と、ＮＶＲＡＭ（Non-Volatile RA M）１４と、ストレージ１５と、パネルＩ／Ｆ（Interface）１６と、エンジンＩ／Ｆ１７と、外部Ｉ／Ｆ１８とを備えるコンピュータである。
【００１７】
ＣＰＵ１１は、ＲＡＭ１２をワークエリアとして用いてＲＯＭ１３やＮＶＲＡＭ１４、ストレージ１５に記憶されているプログラムを実行することで各部の動作を制御する。ＮＶＲＡＭ１４は、読み書きが可能であり且つ自装置の電源を落としても記憶した内容を保持する記憶手段であり、ＣＰＵ１１が制御に用いるデータやプログラムを記憶している。ストレージ１５は、ＨＤＤ（Hard Disk Drive）やＳＳＤ（Solid State Drive）などの記憶手段であり、ＣＰＵ１１が制御に用いるデータやプログラムを記憶している。
【００１８】
パネルＩ／Ｆ１６は、操作パネル部２０が接続され、操作パネル部２０が表示する画像の画像データや操作パネル部２０が受け付けた操作を表す操作データのＣＰＵ１１とのやり取りを中継する。エンジンＩ／Ｆ１７は、画像形成部３０が接続され、画像形成部３０への画像形成の指示を表す指示データがＣＰＵ１１から供給されるとそれを中継して画像形成部３０に供給する。外部Ｉ／Ｆ１８は、クライアント端末２が接続され、クライアント端末２とＣＰＵ１１とのデータのやり取りを中継する。外部Ｉ／Ｆ１８は、例えばクライアント端末２から送信されてきた指示データを受け取ってＣＰＵ１１に供給する。
【００１９】
図２はクライアント端末２のハードウェア構成を表す。クライアント端末２は、ＣＰＵ２１と、ＲＡＭ２２と、ＲＯＭ２３と、Ｉ／Ｆ２４と、ストレージ２５と、ＵＩ部２６とを備えるコンピュータである。ＣＰＵ２１、ＲＡＭ２２、ＲＯＭ２３、ストレージ２５は、図１に表す同名のハードウェアと共通するハードウェアである。Ｉ／Ｆ２４は、画像形成装置１が接続され、画像形成装置１とＣＰＵ２１とのデータのやり取りを中継する。ＵＩ部２６は、ディスプレイ、キーボード及びマウス等を備え、画像を表示するとともに、ユーザからの操作を受け付ける。
【００２０】
画像処理部１０が備えるＣＰＵ１１とクライアント端末２が備えるＣＰＵ２１がそれぞれプログラムを実行して各部を制御することで、以下に述べる機能が実現される。なお、本実施例では、ユーザがクライアント端末２を操作する場合に動作する機能について説明する。
図３は画像処理部１０及びクライアント端末２が実現する機能構成を表す。画像処理部１０は、プレビュー情報生成部１０１と、指示データ記憶部１０２と、指示データ記憶制御部１０３と、画像形成制御部１０４とを備える。クライアント端末２は、設定画面表示部２０１と、設定操作受付部２０２と、プレビュー表示部２０３と、画像形成操作受付部２０４と、指示データ生成部２０５と、指示データ一覧表示部２０６と、設定変更要求部２０７とを備える。
【００２１】
設定画面表示部２０１は、画像形成装置１に画像形成の指示を行う際に、各種の設定を決めるための設定画面を表示する。
図４は設定画面の一例を表す。図４の例では、設定画面表示部２０１が、「簡易設定」、「用紙」、「レイアウト」、「カラー」、「画質」という設定項目のグループを表すタブと、「ＲＩＰの種類」から「用紙トレイ」までの「簡易設定」というグループの設定項目と、「ＲＩＰの種類」という項目の「ＣＰＳＩ」及び「ＡＰＰＥ」という設定と、「用紙サイズ」という項目の「原稿サイズと同じ」という設定及び「拡大／縮小」の設定と、操作用のボタン画像（ＯＫボタンＡ１、キャンセルボタンＡ２、プレビューボタンＡ３）とを表示している。設定画面表示部２０１は、他のタブを選択する操作や画面をスクロールする操作が行われることで、他の設定項目及び各項目の設定を表示する。
【００２２】
設定操作受付部２０２は、ユーザが画像形成を指示する際にその画像形成における設定を決めるための操作（以下「設定操作」という）を受け付ける。設定操作受付部２０２は、個別設定選択操作受付部２２１と、コピー元指定操作受付部２２２と、コピー先指定操作受付部２２３と、コピー実施操作受付部２２４とを備える。ここではまず、個別設定選択操作受付部２２１について説明する。
【００２３】
個別設定選択操作受付部２２１は、例えば、図４に表す設定画面が表示されているときに、ユーザがＲＩＰの種類としてＣＰＳＩ（Configurable PostScript Interpreter）を選択する操作やＡＰＰＥ（Adobe PDF Print Engine）を選択する操作を設定操作として受け付ける。また、個別設定選択操作受付部２２１は、図４に表すＯＫボタンＡ１を押す操作を、現在選択されている設定を確定させる設定操作として受け付ける。
【００２４】
また、個別設定選択操作受付部２２１は、キャンセルボタンＡ２を押す操作を、現在選択されている設定を破棄して、設定画面が表示される前の状態に戻す設定操作として受け付ける。また、個別設定選択操作受付部２２１は、プレビューボタンＡ３を押す操作を、現在選択されている設定で画像が形成された場合の印刷イメージ、すなわちプレビューを表示する設定操作として受け付ける。個別設定選択操作受付部２２１は、プレビューを表示する設定操作を受け付けた場合、その旨を画像処理部１０に通知する。
【００２５】
画像処理部１０のプレビュー情報生成部１０１は、上記通知を受け取ると、現在選択されている設定で画像が形成された場合の印刷イメージを示すプレビュー情報を生成する。プレビュー情報生成部１０１は、生成したプレビュー情報をクライアント端末２に送信する。クライアント端末２のプレビュー表示部２０３は、送信されてきたプレビュー情報を受信すると、そのプレビュー情報に基づいて、現在選択されている設定で画像が形成された場合の印刷イメージ、すなわちプレビューを表示する。
【００２６】
図５は表示されたプレビューの一例を表す。図５の例では、プレビュー表示部２０３が、画像形成の指示の対象となっている複数の画像のサムネイルと、そのうちの選択された画像の印刷イメージと、閉じるボタンＡ４とを含むプレビューＢ１を表示している。ユーザが閉じるボタンＡ４を押す操作を行うと、プレビュー表示部２０３はプレビューの表示を終了する。ユーザは、プレビューを見て意図した画像が印刷されると思ったら、画像形成を開始させる操作を行う。
【００２７】
画像形成操作受付部２０４は、画像形成に関する操作を受け付ける。画像形成操作受付部２０４は、例えば、現在選択されている設定で画像形成を開始させる開始操作や画像形成を中止させる中止操作を画像形成操作として受け付ける。画像形成操作受付部２０４は、開始操作を受け付けると、その旨を指示データ生成部２０５に通知し、中止操作を受け付けると、その旨を画像形成装置１に通知する。
【００２８】
指示データ生成部２０５は、画像形成操作受付部２０４により開始操作が受け付けられると、現在選択されている設定での画像形成を指示する旨を表す指示データを生成する。指示データには、画像形成部３０に形成させる画像を示す画像情報と、その画像形成における設定を示す設定情報とが含まれている。指示データ生成部２０５は、生成した指示データを画像形成装置１に送信する。
【００２９】
指示データ記憶部１０２は、画像形成を指示する指示データを記憶する機能であり、例えばクライアント端末２から送信されてきた指示データを記憶する。これにより、指示データ記憶部１０２は、画像形成の指示（指示データ）が作成された場合にその画像形成の設定を記憶する。指示データ記憶部１０２は本発明の「記憶部」の一例である。指示データ記憶部１０２は、指示データを格納するキューを形成する。このキューに格納された指示データは、順番に取り出されて画像形成に用いられることになる。
【００３０】
指示データ記憶制御部１０３は、指示データ記憶部１０２に記憶される情報を制御する。指示データ記憶制御部１０３は、指示データ記憶部１０２に指示データを書き込む書込み処理、記憶された指示データの設定を変更する設定変更処理、指示データの状態を管理する管理処理、及び、記憶された指示データを削除する削除処理等を行う。書込み処理には、キューに指示データを格納する格納処理が含まれる。管理処理には、指示データの状態をその指示データに対応付けて記憶させる処理が含まれる。
【００３１】
指示データ記憶制御部１０３は、画像形成の開始操作が行われることでキューに格納されて画像形成の処理に用いられる順番を待っている状態の指示データには「保留」という状態を対応付けて記憶させ、画像形成の開始操作が行われておらず又は開始操作が一度行われたがその後中止されて処理されるのを待っている指示データには「処置待ち」という状態を対応付けて記憶させる。また、指示データ記憶制御部１０３は、媒体への画像形成が完了した指示データには「完了」という状態を対応付けて記憶させ、媒体への画像形成が失敗した状態の指示データには「エラー」という状態を対応付けて記憶させ、媒体への画像形成が完了してから決められた期間が経過した状態の指示データには「履歴」という状態を対応付けて記憶させる。
【００３２】
画像形成制御部１０４は、画像形成部３０による画像形成を制御する。画像形成制御部１０４は、指示データ記憶部１０２に「保留」の状態で指示データが記憶されている場合、その指示データを順番に読み出し、読み出した指示データが示す指示に従って画像を形成するよう画像形成部３０に指示する。その結果、媒体に画像が形成されると、指示データ記憶制御部１０３が、その指示データの状態を「保留」から「完了」に変更し、「完了」に変更してから決められた期間が経過すると、その指示データの状態を「履歴」に変更する。
【００３３】
また、指示データ記憶制御部１０３は、クライアント端末２の画像形成操作受付部２０４から中止操作を受け付けた旨が通知されると、指示データ記憶部１０２に記憶されている対象の指示データの状態を「保留」から「処置待ち」に変更する。また、指示データ記憶制御部１０３は、画像形成を指示したもののエラーが発生して画像が形成されなかった場合には、読み出した指示データの状態を「保留」から「エラー」に変更する。
【００３４】
指示データ一覧表示部２０６は、指示データ記憶部１０２に記憶されている指示データの一覧を表示する。指示データ一覧表示部２０６は、この一覧を表示させる操作がユーザによって行われると、画像処理部１０に指示データを要求する。指示データ記憶部１０２は、この要求を受け取ると、記憶している指示データ及びその状態をクライアント端末２に送信する。指示データ一覧表示部２０６は、送信されてきた指示データ及びその状態に基づいて指示データの一覧を表示する。
【００３５】
図６は表示された指示データ一覧の一例を表す。図６の例では、指示データ一覧表示部２０６が、「履歴」、「保留」、「処置待ち」、「完了」、「エラー」という各状態を表すタブと、そのうちの「完了」という状態になっている指示データの一覧を表示している。ユーザは、媒体に画像を形成させた結果、例えば意図した色や配置になっていない画像が形成されていた場合に、指示データが表す設定を変更して再度画像を形成させることがある。その場合、ユーザは、例えば指示データ一覧を表示させて、設定を変更したい指示データを選択する操作を行う。
【００３６】
個別設定選択操作受付部２２１は、この操作を設定操作として受け付け、選択された指示データが表す設定の設定画面を表示するよう設定画面表示部２０１に指示する。設定画面表示部２０１は、この指示に従って、選択された指示データを指示データ一覧表示部２０６から取得して、取得した指示データに含まれる設定情報を表す設定画面を表示する。この設定画面でユーザが設定を変更して図４に表すＯＫボタンＡ１を押す操作を行うと、個別設定選択操作受付部２２１は、この指示データが表す設定を変更する変更操作を設定操作として受け付け、その旨を設定変更要求部２０７に通知する。
【００３７】
設定変更要求部２０７は、設定操作受付部２０２により変更操作が受け付けられた場合、画像処理部１０に対して、指示データ記憶部１０２に記憶されている指示データが表す設定の現在選択されている設定への変更を要求する。設定変更要求部２０７は、この要求を表す要求データを画像処理部１０に送信する。
【００３８】
画像処理部１０の指示データ記憶制御部１０３は、設定変更要求部２０７によって要求された設定の変更を、対象となる指示データに反映する。指示データ記憶制御部１０３は、設定変更要求部２０７から送信されてきた要求データを受け取ると、その要求データが表す指示データを指示データ記憶部１０２から読み出して、その指示データに含まれる設定情報を要求データが表す設定情報に変更してから指示データ記憶部１０２に上書き保存する。その後にユーザがこの指示データを指定して画像形成の開始操作を行うことで、設定の変更が反映された画像形成が行われる。
【００３９】
指示データが表す設定の変更方法には、上記のとおり設定画面を表示させて必要な設定を変更する操作を行う方法の他に、別の指示データが表す設定をコピーする方法がある。クライアント端末２のコピー元指定操作受付部２２２は、この方法において、コピー元となる設定を指定するコピー元指定操作を受け付ける。このコピー元となる設定は本発明の「第１の設定」の一例であり、コピー元指定操作は本発明の「第１の操作」の一例である。
【００４０】
コピー先指定操作受付部２２３は、コピー元指定操作により指定された設定のコピー先となる指示データを指定するコピー先指定操作を受け付ける。このコピー先の指示データの設定は本発明の「第２の設定」の一例であり、コピー先指定操作は本発明の「第２の操作」の一例である。
【００４１】
コピー実施操作受付部２２４は、コピー元指定操作により指定された設定を、コピー先指定操作により指定された指示データにコピーするコピー実施操作を受け付ける。コピー元指定操作、コピー先指定操作及びコピー実施操作は、例えば図６に表す指示データ一覧が表示された画面で行われる。
【００４２】
図７はコピー元指定操作の一例を表す。図７の例では、「完了」の状態の指示データの一覧が表示されており、一覧に含まれる指示データのうちＩＤが「００２」の指示データが選択されている。この状態でユーザが右クリックの操作を行うと、操作メニューが表示され、操作メニューに含まれている設定コピーボタンＡ５を押す操作が行われると、コピー元指定操作受付部２２２は、この操作をコピー元指定操作として受け付ける。
【００４３】
このように、本実施例では、コピー元となる設定を表す画像を選択し且つ操作メニューを表示させる操作と、その操作により表示された操作メニューからクリップボードへのデータのコピーを表す項目を選択する操作（設定コピーボタンＡ５を押す操作）とがコピー元指定操作に含まれる。コピー元となる設定を表す画像を選択し且つ操作メニューを表示させる操作とは、具体的にはこの画像を右クリックする操作である。
【００４４】
なお、この操作は、右クリックに限らず、例えばダブルクリックの操作等でもよいし、ユーザインターフェースがタッチスクリーンであれば長押しの操作等であってもよい。コピー元指定操作受付部２２２は、コピー元指定操作を受け付けると、コピー元として指定された設定を表す指示データを特定する第１特定用情報（例えば指示データのＩＤ）を、設定変更要求部２０７に供給する。
【００４５】
図８はコピー先指定操作の一例を表す。図８の例では、「処理待ち」の状態の指示データの一覧が表示されており、一覧に含まれる指示データのうちＩＤが「０３８」の指示データが選択されている。この状態でユーザが右クリックの操作を行うと、操作メニューが表示される。コピー先指定操作受付部２２３は、この指示データを選択した状態で操作メニューを表示させる操作をコピー先指定操作として受け付ける。
【００４６】
このように、本実施例では、コピー先となる別の画像形成の指示（図８の例ではＩＤが「０３８」の指示データ）を表す画像を選択し且つ操作メニューを表示させる操作（この例では右クリック）がコピー先指定操作に含まれる。表示された操作メニューに含まれている設定貼り付けボタンＡ６を押す操作が行われると、コピー実施操作受付部２２４は、この操作をコピー実施操作として受け付け、その旨を設定画面表示部２０１に通知する。設定画面表示部２０１は、設定貼り付けボタンＡ６を押す操作が行われた旨が通知されると、設定が上書きされることを警告する警告画像を表示する。
【００４７】
図９は表示された警告画像の一例を表す。図９の例では、設定画面表示部２０１が、「ＩＤ００２の指示データの設定をＩＤ０３８の指示データの設定に上書きします。よろしいですか？」という文字列を含む警告画像Ｂ２を表示している。また、設定画面表示部２０１は、「はい」ボタンＡ７と、「いいえ」ボタンＡ８とを表示している。この状態でユーザが「いいえ」ボタンＡ８を押す操作を行うと設定のコピーが行われず指示データ一覧の表示に戻る。この状態でユーザが「はい」ボタンＡ７を押す操作を行うと、コピー実施操作受付部２２４は、この操作をコピー実施操作として受け付ける。
【００４８】
このように、本実施例では、コピー先指定操作により表示された操作メニューからクリップボードにコピーされたデータの貼り付けを表す項目を選択する操作（設定貼り付けボタンＡ６を押す操作）と、設定の上書きを了承する操作（「はい」ボタンＡ７を押す操作）とがコピー実施操作に含まれる。コピー先指定操作受付部２２３は、コピー実施操作受付部２２４によりこれらのコピー実施操作が受け付けられると、コピー先として指定された指示データを特定する第２特定用情報（例えば指示データのＩＤ）を、設定変更要求部
２０７に供給する。
【００４９】
設定変更要求部２０７は、コピー先指定操作受付部２２３から供給された第２特定用情報により特定される指示データが表す設定を、コピー元指定操作受付部２２２から供給された第１特定用情報により特定される指示データが表す設定に変更することを要求する要求データを画像処理部１０に送信する。指示データ記憶制御部１０３は、この要求データを受け取ると、要求データが示す２つの指示データを読み出し、コピー先として指定された指示データの設定を、コピー元として指定された指示データの設定に変更してから指示データ記憶部１０２に記憶させる。
【００５０】
このようにして、指示データ記憶制御部１０３は、前述したコピー実施操作が行われると、指示データ記憶部１０２に記憶された設定のうちコピー元指定操作により指定された第１の設定を、コピー先指定操作により指定された別の指示データにおける設定に上書きして記憶させる。指示データ記憶制御部１０３は本発明の「記憶制御部」の一例である。
【００５１】
より詳細には、指示データ記憶制御部１０３は、コピー先指定操作により表示された操作メニューから、クリップボードにコピーされたデータの貼り付けを表す項目を選択する操作（図８に表す設定貼り付けボタンＡ６を押す操作）が行われると、コピー元の設定をクリップボードから読み出してコピー先の指示データが表す設定に上書きして記憶させる。
【００５２】
なお、図７の例では、コピー元指定操作により「完了」の状態の指示データ、すなわち過去に実行された指示における設定がコピー元の設定（第１の設定の一例）として指定されたが、これに限らない。例えば、保留されている指示における設定や待機中の指示における設定がコピー元の設定として指定されてもよい。
【００５３】
図１０、図１１、図１２はそれぞれコピー元指定操作の一例を表す。図１０の例では、設定コピーボタンＡ５を押すコピー元指定操作により、「履歴」の状態の指示データにおける設定がコピー元の設定として指定されている。図１１の例では、設定コピーボタンＡ５を押すコピー元指定操作により、「保留」の状態の指示データにおける設定がコピー元の設定として指定されており、図１２の例では、設定コピーボタンＡ５を押すコピー元指定操作により、「処理待ち」の状態の指示データにおける設定がコピー元の設定として指定されている。
【００５４】
また、画像処理部１０が予め定められた設定を登録した指示を表すテンプレートを記憶している場合、そのテンプレートとして記憶された指示における設定がコピー元の設定として指定されてもよい。
図１３はコピー元指定操作の一例を表す。図１３の例では、テンプレート一覧画面において表示されているテンプレートのうちＩＤが「０１」のテンプレートが選択された状態で設定コピーボタンＡ５を押すコピー元指定操作が行われ、選択されたテンプレートにおける設定がコピー元の設定として指定されている。
【００５５】
画像形成装置１及びクライアント端末２は、上記の構成に基づいて、媒体に画像を形成する画像形成処理と、画像形成の設定をコピーするコピー処理とを行う。
図１４は画像形成処理における各装置の動作手順の一例を表す。この動作手順は、例えばユーザによって設定画面を表示させる操作が行われることを契機に開始される。まず、クライアント端末２（設定画面表示部２０１）は、設定画面を表示する（ステップＳ１１）。
【００５６】
次に、クライアント端末２（個別設定選択操作受付部２２１）は、各項目の設定を個別に選択する操作を受け付ける（ステップＳ１２）。続いて、クライアント端末２（画像形成操作受付部２０４）は、画像形成を開始させる操作を受け付ける（ステップＳ１３）。次に、クライアント端末２（指示データ生成部２０５）は、指示データを生成し（ステップＳ１４）、生成した指示データを画像形成装置１に送信する（ステップＳ１５）。
【００５７】
画像処理部１０（指示データ記憶部１０２及び指示データ記憶制御部１０３）は、ステップＳ１５で指示データを受信すると、受信した指示データをキューに格納する（ステップＳ２１）。次に、画像処理部１０（画像形成制御部１０４）は、指示データをキューから取り出し（ステップＳ２２）、取り出した指示データが表す指示に基づいて画像形成の指示を画像形成部３０に対して行う（ステップＳ２３）。画像形成部３０は、ステップＳ２３で受け取った指示に基づいて媒体に画像を形成する（ステップＳ２４）。
【００５８】
図１５はコピー処理における各装置の動作手順の一例を表す。この動作手順は、例えばユーザによって指示データ一覧画面を表示させる操作が行われることを契機に開始される。まず、クライアント端末２は、指示データの一覧画面を表示する（ステップＳ３１）。次に、クライアント端末２（コピー元指定操作受付部２２２）は、例えばコピー元の設定を表す指示データを右クリックする操作及び図７の設定コピーボタンＡ５を押す操作をコピー元を指定する操作として受け付ける（ステップＳ３２）。続いて、クライアント端末２（コピー先指定操作受付部２２３）は、例えばコピー先の指示データを右クリックする操作をコピー先を指定する操作として受け付ける（ステップＳ３３）。
【００５９】
次に、クライアント端末２（コピー実施操作受付部２２４）は、設定貼り付けボタンＡ６を押す操作を設定のコピーを実施させる操作として受け付ける（ステップＳ３４）。続いて、クライアント端末２は、例えば図９に表す警告画像を表示する（ステップＳ３５）。次に、クライアント端末２（コピー実施操作受付部２２４）は、例えば警告画像に含まれる「はい」ボタンＡ７を押す操作を設定のコピーを実施させる操作として受け付ける（ステップＳ３６）。続いて、クライアント端末２（設定変更要求部２０７）は、コピー元の設定をコピー先の設定に上書きする処理を画像処理部１０に要求する（ステップＳ３７）。そして、画像処理部１０（指示データ記憶部１０２及び指示データ記憶制御部１０３）は、要求された上書きの処理を実施し、指定されたコピー元の設定を指定されたコピー先の指示データに上書きして記憶する（ステップＳ３８）。
【００６０】
第１の指示データの設定を第２の指示データで利用するには、例えば図１３の説明で述べたテンプレートを利用する方法がある。例えば画像処理部が或る指示データの設定をテンプレートとして抽出する機能と、テンプレートの設定を或る指示データに適用する機能を有する場合に、ユーザは、まず、第１の指示データを選択する操作を行い、選択した第１の指示データの設定をテンプレートとして抽出する操作を行う。ユーザは、次に、図１３に表すようにテンプレート一覧を表示させる操作を行い、そこから前述の操作で生成されたテンプレートを選択する操作を行い、そのテンプレートの設定を第２の指示データに適用する操作を行う。
【００６１】
しかし、この方法では、第１の設定を指定する操作及び第２の指定データを指定する操作に加え、第１の設定が抽出されたテンプレートを選択するための操作（テンプレート一覧を表示させる操作及びその一覧から対象のテンプレートを選択する操作）を行わなければならず、手間がかかる。本実施例では、設定をコピーする際に、第１の設定を指定する操作及び第２の指定データを指定する操作を行えばよいので、画像形成の指示において用いられた設定が、その設定をテンプレート化する場合に比べて簡単に利用されることになる。
【００６２】
また、本実施例では、第１の設定を指定する操作及び第２の指定データを指定する操作として、テキストのコピー及び貼り付けの操作と共通する操作が用いられている。これにより、画像形成の指示において用いられた設定がコピー及び貼り付けの操作によって利用されることになる。また、本実施例によれば、図７、図１０、図１１、図１２の説明で述べたように、上述した完了、履歴、保留、処理待ちの状態の指示データの設定が利用されることになる。また、本実施例では、図１３の説明で述べたように、テンプレートが表す設定を第１の設定として指定することで、テンプレートの設定も利用されることになる。
【００６３】
［２］変形例
上述した実施例は本発明の実施の一例に過ぎず、以下のように変形させてもよい。また、実施例及び各変形例は、必要に応じて組み合わせて実施してもよい。
【００６４】
［２−１］コピー元指定操作及びコピー先指定操作
コピー元指定操作及びコピー先指定操作は実施例で述べたコピー及び貼り付けの操作に限らない。
図１６は本変形例のコピー元指定操作の一例を表す。図１６の例では、「完了」や「履歴」の状態にある指示データの設定を表すプロパティ画面Ｂ１１が表示されている。
【００６５】
プロパティ画面Ｂ１１には、プリント開始ボタンＡ１１と、設定コピーボタンＡ１２とが表示されている。プリント開始ボタンＡ１１を押す操作が行われると、画像形成操作受付部２０４がこの操作を画像形成を開始させる操作として受け付け、表示されている設定で画像が形成される。設定コピーボタンＡ１２を押す操作が行われると、コピー元指定操作受付部２２２がこの操作をコピー元指定操作として受け付ける。
【００６６】
図１７は本変形例のコピー元指定操作の一例を表す。図１７の例では、図１６に表すプロパティ画面に重ねて設定のコピー先を選択させる選択用画像Ｂ１３が表示されている。選択用画像Ｂ１３には、例えば「完了」や「履歴」の状態にある指示データの一覧と、ＯＫボタンＡ１３とが含まれている。ユーザが指示データの一覧からいずれかの指示データを選択する操作を行うと、コピー先指定操作受付部２２３がこの操作をコピー先指定操作として受け付ける。また、ユーザがＯＫボタンＡ１３を押す操作を行うと、コピー実施操作受付部２２４がこの操作をコピー実施操作として受け付ける。この後は、図９に表す警告画像Ｂ２のように設定の上書きを警告する画像が表示され、そこで「はい」ボタンＡ７を押す操作が行われると、設定の上書きが行われる。
【００６７】
上記例以外にも、例えば、第１の操作が、第１の設定（コピー元の設定）を表す画像を選択する操作であり、第２の操作が、第２の設定を表す指示データ（コピー先の指示）を表す画像を選択する操作であってもよい。
図１８はコピー元指定操作及びコピー先指定操作の別の一例を表す。図１８の例では、設定のコピーを行うための設定コピー画面Ｂ１４が表示されている。設定コピー画面Ｂ１４には、指示データ一覧と共通する指示データの一覧と、コピー元決定ボタンＡ１４と、コピー先決定ボタンＡ１５とが表示されている。
【００６８】
この例では、ユーザが、指示データの一覧からいずれかの指示データを選択し、コピー元決定ボタンＡ１４を押す操作を行うと、コピー元指定操作受付部２２２がこの操作をコピー元指定操作として受け付ける。また、ユーザが、指示データの一覧からいずれかの指示データを選択し、コピー先決定ボタンＡ１５を押す操作を行うと、コピー先指定操作受付部２２３がこの操作をコピー先指定操作として受け付ける。
【００６９】
また、この例では、コピー元決定ボタンＡ１４を押す操作及びコピー先決定ボタンＡ１５を押す操作のどちらが先に行われてもよく、コピー実施操作受付部２２４が、後から行われた操作をコピー実施操作として受け付ける。このように、コピー元指定操作及びコピー先指定操作はどちらが先に行われてもよいし、コピー元指定操作及びコピー先指定操作のいずれかとコピー実施操作とが共通の操作であってもよい。
【００７０】
［２−２］相違点の表示
２つの設定の相違点を比較したうえで設定をコピーするか否かが決められてもよい。
図１９は本変形例における機能構成の一例を表す。図１９の例では、図３に表す各部に加えて、相違点表示操作受付部２２５と、相違点表示部２０８とを備えるクライアント端末２ａと、図３に表す各部に加えて、相違点出力部１０５を備える画像処理部１０ａとが表されている。
【００７１】
相違点表示操作受付部２２５は、２つの設定の相違点を表示させる相違点表示操作を受け付ける。この相違点は、設定をコピーするか否かを決める際の参考になる情報であり、相違点表示操作は設定操作の１つである。従って、相違点表示操作受付部２２５は、設定操作受付部２０２が備える機能である。相違点表示操作受付部２２５は、２つの設定を指定する操作を相違点表示操作として受け付ける。相違点表示操作受付部２２５は、受け付けた操作により指定された２つの設定を特定する特定用情報（例えば指示データのＩＤ）を画像処理部１０ａに送信する。
【００７２】
相違点出力部１０５は、相違点表示操作受付部２２５が受け付けた操作により指定された２つの設定の相違点を出力する。相違点出力部１０５は、相違点表示操作受付部２２５から送信されてきた特定用情報を受け取ると、その特定用情報により特定される２つの設定を表す指示データを指示データ記憶部１０２から読み出す。相違点出力部１０５は、読み出した２つの指示データがそれぞれ表す設定のうち、互いに相違している設定を抽出し、抽出した設定を表す相違点データを生成する。相違点出力部１０５は、生成した相違点データをクライアント端末２ａに対して出力する。
【００７３】
相違点表示部２０８は、相違点出力部１０５から出力されてきた２つの設定の相違点を表示する。２つの設定の相違点が表示されるまでの画面遷移について図２０から図２２を参照して説明する。
図２０は相違点表示操作の一例を表す。図２０の例では、指示データ一覧画面Ｂ１６に、「完了」の状態の指示データの一覧と、相違点表示ボタンＡ１６とが表示され、ＩＤが「００３」の指示データが選択された状態になっている。
【００７４】
図２１は相違点表示操作の一例を表す。図２１の例では、図２０に表す指示データ一覧画面Ｂ１６に重ねて、比較する指示データを指定するための指示データ一覧画像Ｂ１７が表示され、ＩＤが「００５」の指示データが選択された状態になっている。指示データ一覧画像Ｂ１７には、ＯＫボタンＡ１７が含まれている。図２０の状態でユーザが相違点表示ボタンＡ１６を押す操作を行うと、設定画面表示部２０１が指示データ一覧画像Ｂ１７を表示する。図２１の状態でユーザがＯＫボタンＡ１７を押す操作を行うと、相違点表示操作受付部２２５は、ここまでの操作（各指示データを選択する操作、相違点表示ボタンＡ１６を押す操作、ＯＫボタンＡ１７を押す操作）を相違点表示操作として受け付ける。
【００７５】
図２２は表示された相違点の一例を表す。図２２の例では、相違点表示部２０８が、「ＩＤ００３」の指示データの設定を比較対象１とし、「ＩＤ００５」の指示データの設定を比較対象２としてそれらの設定の相違点を表す相違点表示画面Ｂ１８を表示している。この例では、「ＲＩＰの種類」が比較対象１は「ＡＰＰＥ」で、比較対象２は「ＣＰＳＩ」だという相違点１と、「出力ページ範囲」が比較対象１は「全ページ」で、比較対象２は「１−４」だという相違点２とが表示されている。このように相違点が出力及び表示されることで、２つの設定の全体を比較する場合に比べて、ユーザは設定のコピーを行うか否かを判断しやすくなる。
【００７６】
相違点表示画面Ｂ１８には設定の保存ボタンＡ１８が表示されている。また、ユーザが、相違点１及び相違点２のいずれかを選択して右クリックの操作を行うと、設定のコピーを行うためのコピー操作用画像が表示される。
図２３は表示されたコピー操作用画像の一例を表す。図２３の例では、「出力ページ範囲」の相違点２が選択された状態で、「比較対象１の設定を比較対象２にコピー」という文字列を表すコピー操作用画像Ａ１９と、「比較対象２の設定を比較対象１にコピー」という文字列を表すコピー操作用画像Ａ２０とが表示されている。
【００７７】
ユーザがコピー操作用画像Ａ１９又はコピー操作用画像Ａ２０を押す操作を行うと、コピー元指定操作受付部２２２及びコピー先指定操作受付部２２３がこの操作をコピー元指定操作及びコピー先指定操作として受け付ける。例えば図２３の例のように「出力ページ範囲」が選択された状態でコピー操作用画像Ａ２０を押す操作が受け付けられると、コピー元指定操作受付部２２２は比較対象２をコピー元の設定とするコピー元指定操作としてこの操作を受け付け、コピー先指定操作受付部２２３は比較対象１をコピー先の設定とするコピー先指定操作としてこの操作を受け付ける。そして、そのようにコピー元及びコピー先が指定されてコピーが行われた場合の設定が相違点表示画面Ｂ１８に表示される。
【００７８】
図２４はコピーが行われた場合の設定の一例を表す。図２４の例では、比較対象１の「出力ページ範囲」が比較対象２の「１−４」という設定に変更されて表示されている。この状態で設定の保存ボタンＡ１８を押す操作が行われると、コピー実施操作受付部２２４がこの操作をコピー実施操作として受け付け、指示データ記憶制御部１０３による設定の上書き保存が行われる。
【００７９】
このように、本変形例では、相違点出力部１０５により出力された相違点を表すコピー元の設定を指定する操作がコピー元指定操作として行われる。また、出力された相違点を表すコピー先の設定を指定する操作が行われると、コピー先の指示データを指定することになるので、この操作がコピー先指定操作として行われる。これにより、出力された相違点を表すコピー元の設定及びコピー先の設定を指定しない場合に比べて、２つの設定の相違点を比較してから設定のコピーを行うまでの手間が小さくなる。
【００８０】
［２−３］相違点の表示方法
上記の変形例で述べた相違点の表示方法は上述したものに限らない。例えば、ユーザがコピー元の設定を指定し、コピー先の指示データを指定する操作を行ったときに、相違点を表示するための操作用画像を表示してもよい。
【００８１】
図２５は相違点を表示するための操作用画像の一例を表す。図２５の例では、図８に表す指示データ一覧でコピー先の指示データを指定する右クリックの操作が行われて表示された操作メニューが表されている。この操作メニューには、設定貼り付けボタンＡ６に加え、相違点の表示ボタンＡ２１が相違点を表示するための操作用画像として表されている。ユーザが相違点の表示ボタンＡ２１を押す操作を行うと、相違点出力部１０５がコピー元の指示データの設定とコピー先の指示データの設定との相違点を出力し、例えば図２２の例のように相違点表示画面が表示される。
【００８２】
なお、相違点の表示ボタンＡ２１を表示せずに、コピー元の設定及びコピー先の指示データが指定されたら必ず相違点出力部１０５がそれらの設定の相違点を出力し、出力された相違点を相違点表示部２０８が表示してもよい。また、相違点出力部１０５は、設定の相違点があっても必ずしもその相違点を出力しなくてもよい。例えば、設定の相違点がある場合に、相違点出力部１０５がその相違点を出力せずに指示データ記憶制御部１０３がコピー元の設定をコピー先の指示データの設定に上書きして記憶させる第１モードで各部が動作してもよい。
【００８３】
その代わり、設定の相違点がある場合に、相違点出力部１０５がその相違点を出力して上書きを承諾する操作が行われてから指示データ記憶制御部１０３がコピー元の設定をコピー先の指示データの設定に上書きして記憶させる第２モードでも各部が動作するようにしておき、ユーザが第１モード及び第２モードを選べるようにしてもよい。上書きを承諾する操作とは、例えば図２４に表す設定の保存ボタンＡ１８を押す操作（コピーした設定を保存させるということは当然上書きを承諾していることになる）である。
【００８４】
また、図９に表す警告画像Ｂ２を表示させ、「はい」ボタンＡ７を押す操作を上書きを承諾する操作としてもよい。このように第１モード及び第２モードで各部を動作させることで、ユーザは例えば設定作業の早く行いたい場合には第１モードを選び、コピーする設定の中身を確認しながら必要なコピーだけを行いたい場合には第２モードを選ぶというように、設定をコピーする作業に求められる条件に応じて動作のモードが選ばれることになる。
【００８５】
［２−４］設定項目毎のコピーの可否
コピー元の設定には複数の項目の設定が含まれるが、それらの項目毎に設定のコピーの可否が決まっていてもよい。その場合、指示データ記憶制御部１０３は、それら複数の項目のうち特定の項目の設定は上書きして記憶させない。また、指示データ記憶制御部１０３は、反対に、特定の項目以外の項目の設定は、上書きして記憶させる。指示データ記憶制御部１０３は、例えば、コピーが可能な項目とコピー不可の項目とを表すコピー可否リストを用いてこの記憶制御を行う。
【００８６】
図２６はコピー可否リストの一例を表す。図２６に表すコピー可否リストでは、「ＲＩＰ種類」という設定項目はコピーが「可能」であり、「用紙サイズ」及び「出力ページ範囲」という設定項目はコピーが「不可」であることが示されている。「用紙サイズ」及び「出力ページ範囲」は設定が上書き保存されない特定の項目の一例である。例えば１００ページの画像形成を指示する指示データの設定がコピー元で、１０ページの画像形成を指示する指示データがコピー先である場合に、出力ページ範囲をコピーすると、コピー先の出力ページ範囲が画像のページ数を超える１１ページ以上になり、エラーの元になる。本変形例では、そのように特定の項目の設定はコピーしないことで、設定の不整合によるエラーが防がれるようにしている。
【００８７】
［２−５］各機能を実現する装置
図３等に表す各機能は、実施例とは異なる装置によって実現されてもよい。
図２７は本変形例における機能構成の一例を表す。図２７の例では、図３に表す画像処理部１０が備える各部に加えてクライアント端末２が備える各部も備える画像処理部１０ｂが表されている。この場合、ユーザは、クライアント端末２ではなく画像形成装置１が備える操作パネル部２０に表示される画面を見て、操作パネル部２０に対して操作を行う。
【００８８】
［２−６］設定の連動
コピー元からコピー先に設定がコピーされた場合に、一方の設定の変更を他方の設定に連動させてもよい。ここでいう連動とは、一方の設定が変化すると、他方の設定も同じく変化させるという意味である。この場合、例えば指示データ記憶制御部１０３がコピー先の設定にコピー元の設定を上書きして記憶させる際に、両方（コピー元及びコピー先）の設定にコピー相手（コピー元にとってのコピー先又はコピー先にとってのコピー元）の設定を特定する情報を対応付けて記憶させる。
【００８９】
その後、設定の変更が行われると、指示データ記憶制御部１０３は、変更された設定にコピー相手の設定を特定する情報が対応付けられていれば、その情報により特定されるコピー相手の設定を、変更された設定に上書きして記憶させる。これにより、例えばコピー元の設定が変更された場合にユーザが操作しなくてもコピー先の設定がコピー元に合わせられることになる。
【００９０】
［２−７］設定のアドレスのコピー
設定をコピーする際に、その設定が記憶されている記憶領域におけるアドレスがコピーされてもよい。この場合、指示データ記憶制御部１０３は、コピー元の設定をコピー先の指示データが表す設定に上書きして記憶させる代わりに、コピー元の設定が記憶されているアドレスを、コピー先の指示データが表す設定に対応付けて記憶させる。
【００９１】
そして、画像形成制御部１０４は、読み出した指示データが表す設定にアドレスが対応付けられている場合、その設定についてはそのアドレスに記憶されている設定を用いて画像形成を制御する。また、指示データ記憶制御部１０３は、コピー元の設定を表す指示データを読み出してその設定をクリップボードにコピーする代わりに、その設定のアドレスをクリップボードに書き込んでもよい。
【００９２】
その場合、指示データ記憶制御部１０３は、コピー元の設定をクリップボードから読み出す代わりにそのアドレスを読み出して、読み出したアドレスをコピー先の設定に対応付けて記憶させる。このようにコピー元の設定の代わりにそのアドレスがコピー先の設定に対応付けて記憶されることで、コピー元の設定が変化したときにユーザが操作しなくてもその変化後の設定がコピー先の設定として用いられることになる。
【００９３】
［２−８］複数設定のコピー
複数の設定のコピーをまとめて行う操作が用いられてもよい。例えばユーザがコピー元の設定を表す指示データを複数選択する操作と、それと同じ数のコピー先の指示データを選択する操作と、それらの設定のコピーをまとめて指示する操作とを行う。これらの操作が行われると、指示データ記憶制御部１０３は、例えば選択された順番が同じ指示データ同士を組み合わせて設定をコピーする。このように、複数のコピーを行う際の操作の手間を小さくしてもよい。
【００９４】
［２−９］発明のカテゴリ
本発明は、画像処理部１０のように画像を処理する画像処理装置の他、その画像処理装置及び画像形成部を備える画像形成装置としても捉えられるし、画像形成装置にクライアント端末２のようにユーザインターフェースとなる装置を加えた画像形成システムとしても捉えられる。また、本発明は、各装置が実施する処理を実現するための画像処理方法としても捉えられるし、各装置を制御するコンピュータを機能させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【００９５】
１…画像形成装置、２…クライアント端末、１０…画像処理部、２０…操作パネル部、３０…画像形成部、１０１…プレビュー情報生成部、１０２…指示データ記憶部、１０３… 指示データ記憶制御部、１０４…画像形成制御部、１０５…相違点出力部、２０１…設定画面表示部、２０２…設定操作受付部、２０３…プレビュー表示部、２０４…画像形成操作受付部、２０５…指示データ生成部、２０６…指示データ一覧表示部、２０７…設定変更要求部、２０８…相違点表示部、２２１…個別設定選択操作受付部、２２２…コピー元指定操作受付部、２２３…コピー先指定操作受付部、２２４…コピー実施操作受付部、２２５…相違点表示操作受付部。
【図１】
2020187787.tif 000003
【図２】
2020187787.tif 000004
【図３】
2020187787.tif 000005
【図４】
2020187787.tif 000006
【図５】
2020187787.tif 000007
【図６】
2020187787.tif 000008
【図７】
2020187787.tif 000009
【図８】
2020187787.tif 000010
【図９】
2020187787.tif 000011
【図１０】
2020187787.tif 000012
【図１１】
2020187787.tif 000013
【図１２】
2020187787.tif 000014
【図１３】
2020187787.tif 000015
【図１４】
2020187787.tif 000016
【図１５】
2020187787.tif 000017
【図１６】
2020187787.tif 000018
【図１７】
2020187787.tif 000019
【図１８】
2020187787.tif 000020
【図１９】
2020187787.tif 000021
【図２０】
2020187787.tif 000022
【図２１】
2020187787.tif 000023
【図２２】
2020187787.tif 000024
【図２３】
2020187787.tif 000025
【図２４】
2020187787.tif 000026
【図２５】
2020187787.tif 000027
【図２６】
2020187787.tif 000028
【図２７】
2020187787.tif 000029